(57)【要約】【課題】  本発明は、使用水量に基づく高齢者症状分析システムに関する。【解決手段】  高齢者症状分析システムは、少なくとも一つのリアルタイム水流量計、記憶装置、使用水量パターン確立装置及び分析装置を含む。少なくとも一つのリアルタイム水流量計は、少なくとも一つのユーザのリアルタイム使用水量データを検出するために、少なくとも一つのユーザの給水口に設けられる。記憶装置は、観察期間における少なくとも一つのユーザのリアルタイム使用水量データを記憶するために用いられる。使用水量パターン確立装置は、ユーザの特定期間におけるリアルタイム使用水量データに基づき、ユーザの日常状態の使用水量パターンを確立するために用いられる。分析装置は、観察期間における少なくとも一つのユーザのリアルタイム使用水量データ及び特定期間のユーザの日常状態の使用水量パターンを分析して、少なくとも一つのユーザが高齢者症状に当てはまるか否かを判断するために用いられる。【選択図】  図１
2017224293.tif 000002
【特許請求の範囲】
【請求項１】
少なくとも一つのユーザのリアルタイム使用水量データを検出するために、少なくとも一つのユーザの給水口に設けられる、少なくとも一つのリアルタイム水流量計と、
観察期間における前記少なくとも一つのユーザのリアルタイム使用水量データを記憶するために用いられる記憶装置と、
ユーザの特定期間におけるリアルタイム使用水量データに基づき、前記ユーザの日常状態の使用水量パターンを確立するために用いられる使用水量パターン確立装置と、
前記観察期間における前記少なくとも一つのユーザのリアルタイム使用水量データ及び前記特定期間の前記ユーザの日常状態の使用水量パターンを分析して、少なくとも一つのユーザが高齢者症状に当てはまるか否かを判断するために用いられる分析装置と
を含む、使用水量に基づく高齢者症状分析システム。
【請求項２】
前記特定期間の前記日常状態の使用水量パターンは、複数の日常生活事象の水使用パターンを含み、前記観察期間における前記少なくとも一つのユーザのリアルタイム使用水量データは、複数の分析対象の生活事象の水使用パターンを含み、前記分析装置は、前記複数の分析対象の生活事象の水使用パターン及び前記複数の日常生活事象の水使用パターンを分析する、請求項１に記載の高齢者症状分析システム。
【請求項３】
前記分析装置は、前記複数の分析対象の生活事象の水使用パターンと前記複数の日常生活事象の水使用パターンの時間を比較して、少なくとも一つのユーザが高齢者症状に当てはまるか否かを判断する、請求項２に記載の高齢者症状分析システム。
【請求項４】
前記分析装置は、前記複数の分析対象の生活事象の水使用パターンと前記複数の日常生活事象の水使用パターンの回数を比較して、少なくとも一つのユーザが高齢者症状に当てはまるか否かを判断する、請求項２に記載の高齢者症状分析システム。
【請求項５】
前記分析装置は、前記複数の分析対象の生活事象の水使用パターンの総量と前記複数の日常生活事象の水使用パターンの総量を比較して、少なくとも一つのユーザが高齢者症状に当てはまるか否かを判断する、請求項２に記載の高齢者症状分析システム。
【請求項６】
少なくとも一つのユーザのリアルタイム使用水量データを受信して、少なくとも一つのユーザのリアルタイム使用水量データが少なくとも一つの救援使用水量に当てはまるか否かを判断し、少なくとも一つの警告信号を発生するために用いられるローカルコントローラを更に含む、請求項１に記載の高齢者症状分析システム。
【請求項７】
前記ローカルコントローラは、少なくとも一つのユーザのリアルタイム使用水量データが少なくとも一つの救援使用水量に当てはまるか否かを比較して、第一警告信号を発生するために用いられる第一比較モジュールを含む、請求項６に記載の高齢者症状分析システム。
【請求項８】
前記ローカルコントローラは、少なくとも一つのユーザのリアルタイム使用水量データに基づき、少なくとも一つのユーザの算出期間内における累積使用水量を算出して、基本使用水量より少ないか否かを比較して、第二警告信号を発生するために用いられる第二比較モジュールを含む、請求項６に記載の高齢者症状分析システム。
【請求項９】
少なくとも一つの警告信号を受信し、少なくとも一つの警報信号を出力するために用いられる出力モジュールを更に含む、請求項６に記載の高齢者症状分析システム。
【請求項１０】
前記少なくとも一つのユーザのリアルタイム使用水量データを遠距離コントローラに伝送するために用いられる伝送モジュールを更に含む、請求項１に記載の高齢者症状分析システム。
【発明の詳細な説明】
【技術分野】
【０００１】
本発明は、使用水量に基づく高齢者症状分析システムに関する。
【背景技術】
【０００２】
台湾の人口構造は、結婚意欲の低下、出産意欲の低下、及び出生率の低下速度が死亡率の増加速度を超えたことにより、成長率の低下をもたらしている。この世代に生まれる人の数が減少することにより、次の世代の出産適齢期の女性の人数が減少し、出産状況が変わらなければ、また次の世代に出生する人数が更に減少されるため、人口の老化速度は益々速くなる。
【０００３】
統計の台湾地域の重要人口構造によると、台湾の人口構造は現在高齢化社会に偏っている傾向があり、６５歳以上の人口割合も毎年増加して、民国８０年（１９９１年）の６．５２％から、民国１０５年（２０１６年）に既に１２％超まで高くなったことを見出すことができ、これは高齢人口の将来の生活保健に関連する看護が、既に相当に重要な課題の一つになったことを示している。
【０００４】
高齢者の深刻な問題は認知障害又は身体障害問題であり、特に独り暮らしの人は、深刻な場合、急速に命が脅かされる恐れがある。台湾警政署の先日の統計によれば、ここ３年間において、失踪する高齢者が毎年平均３４００人を超え、毎日約１０人の高齢者が失踪しており、厳冬に入ると、失踪した高齢者が低体温になって命が脅かされやすい。従って、専門家は、高齢者の行方不明事件が頻繁になることは、高齢者の認知障害人口の増加過程において予測可能な現象であり、そして、将来的にはより速く、より多く増加すると指摘した。又、認知障害のある高齢者でも外見は正常で、行動が自在であり、うまく受け答えすることが可能であるため、一般市民は、認知障害のある高齢者であると見なし難い。しかしながら、認知障害のある高齢者は、例えば、常に説明、質問、あるいは同じことを繰り返したり、料理、片付け、計算等を誤る状況が益々多くなったり、約束の時間又は場所を間違えたりするような所定の症状を有するので、これらの状況により、周囲の高齢者に認知障害の症状があるか否かを予め知ることができる。しかしながら、身内が高齢者を近くで長期間観察しなければ、依然として上記の症状を予め知ることは難しい。医療機関では、超早期の認知症スクリーニング測定表（ＡＤ−８）等の方法によりスクリーニングを行うように市民に常に提案しているが、身内に対して行うスクリーニングは、常に主観的な要素の干渉により不正確な結果になり、かつ一般的に高齢者は医者による認知障害のスクリーニングを嫌がるため、如何に科学的に、家に入り込みかつ高齢者の生活を干渉しない長期間の監視を行うかは、現在全世界の高齢化の風潮において非常に必要とする技術である。
【０００５】
台湾内政部と台湾国内のコンビニエンスストアとが協力して行った「貧困老人生活形態調査」によると、現在台湾全体で６５歳以上の人口は約２８７万人であり、そのうちの４０％近くが貧困老人であることが示された。台湾主計総処の統計データでは、「独居世帯五世帯毎に、独居老人が一人いる」ことを示し、かつ台湾国内に登録されている独居老人は、台湾内政部が民国１０５年（２０１６年）に行った統計では約４７，７００人であり、これらの高齢者は、独りで暮らし、人と交流する機会が少ないため、身体障害や認知障害になる高リスク群であり、長期間にわたりかつ高齢者の生活を干渉しない監視メカニズムを如何に提供するかは、現在高度に高齢化になっている国家において切実に求められている。
【０００６】
従って、上記の問題を解決するために、革新的で進歩性を備えた、使用水量に基づく高齢者症状分析システムを提供する必要がある。
【発明の概要】
【０００７】
本発明は、使用水量に基づく高齢者症状分析システムを提供する。一実施例において、高齢者症状分析システムは、少なくとも一つのリアルタイム水流量計、記憶装置、使用水量パターン確立装置及び分析装置を含む。少なくとも一つのリアルタイム水流量計は、少なくとも一つのユーザのリアルタイム使用水量データを検出するために、少なくとも一つのユーザの給水口に設けられる。記憶装置は、観察期間における少なくとも一つのユーザのリアルタイム使用水量データを記憶するために用いられる。使用水量パターン確立装置は、ユーザの特定期間におけるリアルタイム使用水量データに基づき、ユーザの日常状態の使用水量パターンを確立するために用いられる。分析装置は、観察期間における少なくとも一つのユーザのリアルタイム使用水量データ及び特定期間のユーザの日常状態の使用水量パターンを分析して、少なくとも一つのユーザが高齢者症状に当てはまるか否かを判断するために用いられる。
【０００８】
従って、本発明の高齢者症状分析システムは、ユーザの使用水量の変化を用いて高齢者に所定の高齢者症状があるか否かを分析することができ、例えば、短期間の水使用行為の変化によって体調の悪さを検出することができ、長期間の水使用行為の変化により、認知障害又は身体障害等の症状を分析することができる。独り暮らしの高齢者が、ＭＭＳＥ、ＳＰＭＰＱ、ＡＤ−８等の専門医療評価表を必要とせず、近くに寄り添う形により、高齢者の体の微細な変化を随時検出することで、既に高齢者症状があるか否かを有効に予め知ることができ、高齢者症状により他の深刻な状況が発生することを早期に防止することができる。又、ユーザの使用水量を用いて分析を行うので、高齢者が監視されている又は病気になったように認定されたように感じないため、高齢者自身の健康向上意欲を高め、治療に対するストレスを低下させる。
【図面の簡単な説明】
【０００９】
【図１】本発明の使用水量に基づく高齢者症状分析システムを示すブロック模式図である。
【図２】本発明の日常生活事象の水使用パターンにおける入浴時の水使用パターンＩを示す模式図である。
【図３】本発明の日常生活事象の水使用パターンにおける入浴時の水使用パターンＩＩを示す模式図である。
【図４】本発明の日常生活事象の水使用パターンにおける歯磨き及び洗顔時の水使用パターンを示す模式図である。
【図５】本発明の日常生活事象の水使用パターンにおける炊事時の水使用パターンを示す模式図である。
【図６】本発明の日常生活事象の水使用パターンにおけるトイレでの大便後の水の補充（手洗いを含む）時の水使用パターンを示す模式図である。
【図７】本発明の日常生活事象の水使用パターンにおけるトイレでの大便後の水の補充（手洗いを含まない）時の水使用パターンを示す模式図である。
【図８】本発明の日常生活事象の水使用パターンにおけるトイレでの小便後の水の補充（手洗いを含まない）時の水使用パターンを示す模式図である。
【図９】本発明の長時間の持続的な水使用パターンを示す模式図である。
【図１０】本発明の特定時間の水使用総量を示す模式図である。
【発明を実施するための形態】
【００１０】
高齢者がいくら節約を重ねて、照明をつけなく電気を使用しないようにすることはできても、生活において水は必ず使用するはずである。又、高齢者の生活リズムは相当に規則的であり、独り暮らしであれば、身内の干渉を受ける状況が更に少なく、病気又は特別な状況以外は、毎日起床して、歯を磨き、朝食をとり、運動し、娯楽を楽しみ、昼食をとり、午後に休憩をとり、入浴し、皿を洗い、洗濯し、夕食をとり、用便をして、就寝する等の行為が全て相当に規則的であると共に、これは水を使用する行為に相応する。つまり、毎日の上記の日常生活事象の水使用パターンの時間及び回数が相当に規則的である。従って、高齢者のリアルタイム使用水量データを用いることが、高齢者に何らかの身体的又は心理的な疾患が発生して生活行為の変化に反映されたか否かを分析することができる。
【００１１】
専門家の研究によると、初期の認知症は、記憶力の低下、活動力の減少、感情の起伏の激化、表現能力の低下、妄想、幻視の発生、動作の繰り返しの八つの症状を含み、この八つの項目のうち日常生活の水の使用に関連することとして、次の五つの点がある。
１．記憶力の低下：最近起こったことを忘れる。例えば、手、顔を洗った後に繰り返し手、顔を洗うが、入浴する等の行為を忘れてしまう。
２．活動力の減少：活動力の減少のため、毎日の水使用量も減少する。
３．妄想：自分が汚いと思い、持続的に水で洗浄作業を行う。
４．動作の繰り返し：一回で完了できる洗浄動作をずっと繰り返す。
５．睡眠障害：昼夜逆転し、夜に起きて動いたり他の活動を行ったりして夜間の使用水量及び頻度が増加する。
【００１２】
又、使用水量が長期間持続的に低下することは、外部との交流が減少して活動量が減少したためである可能性もあり、長期間非常に低い活動量を維持する場合、高齢者の身体障碍の状況を招く恐れがある。上述により、高齢者の家のリアルタイム使用水量の変化によって高齢者を看護することは、高齢者が最も尊厳のある形で年を取っていくように、高齢者を最も痕跡を残さない形で寄り添って看護することである。
【００１３】
図１は、本発明の使用水量に基づく高齢者症状分析システムを示すブロック模式図である。一実施例において、本発明の使用水量に基づく高齢者症状分析システム１０は、少なくとも一つのリアルタイム水流量計１１、記憶装置１２、使用水量パターン確立装置１３及び分析装置１４を含む。少なくとも一つのリアルタイム水流量計１１は、少なくとも一つのユーザのリアルタイム使用水量データを検出するために、少なくとも一つのユーザの給水口に設けられる。少なくとも一つのリアルタイム水流量計１１は水道スマートメーターであってもよい。少なくとも一つのユーザの給水口は、少なくとも一つのユーザの居住する部屋の給水口であってもよく、又は部屋内の特定空間（例えば、浴室又は台所等）の給水口であってもよい。一つのユーザにおいて複数の人が暮らしている可能性があるため、少なくとも一つのユーザのリアルタイム使用水量データを、特定の使用者のリアルタイム使用水量データ、例えば、高齢者のみに対するリアルタイム使用水量データとしてもよい。
【００１４】
記憶装置１２は、観察期間における少なくとも一つのユーザのリアルタイム使用水量データを記憶するために用いられる。データを比較的に精確にするために、観察期間は、数分間、数時間、数日又は数十日であってもよく、分析方式は、時間区間又は使用水量の特定変化曲線等であってもよい。観察期間における少なくとも一つのユーザのリアルタイム使用水量データは、複数の分析対象の生活事象の水使用パターンを含む。
【００１５】
使用水量パターン確立装置１３は、ユーザの特定期間におけるリアルタイム使用水量データに基づき、ユーザの日常状態の使用水量パターンを確立するために用いられる。分析方式は、時間区間の変化量又は特定時間区間の使用水量の特定変化曲線等に基づいてもよい。特定期間の日常状態の使用水量パターンは、複数の日常生活事象の水使用パターンを含み、例えば、図２の入浴時の水使用パターンＩ、図３の入浴時の水使用パターンＩＩ、図４の歯磨き及び洗顔時の水使用パターン、図５の炊事時の水使用パターン、図６の大便後の水の補充（手洗いを含む）時の水使用パターン、図７の大便後の水の補充（手洗いを含まない）時の水使用パターン、図８の小便後の水の補充（手洗を含まない）時の水使用パターン、図９の長時間の持続的な水使用パターン、及び図１０の特定時間の水使用総量等は、使用者の生活習慣に基づいて取得した水使用特徴である。つまり、同じユーザに対して、構成員に変化がない場合には、毎日の日常生活事象の水使用パターンは相当に規則的であり、水使用総量も周期性があるはずである。
【００１６】
分析装置１４は、上記複数の観察期間における少なくとも一つのユーザのリアルタイム使用水量データ及び特定期間のユーザの日常状態の使用水量パターンを分析して、少なくとも一つのユーザが高齢者症状に当てはまるか否かを判断するために用いられる。一実施例において、分析装置１４は、観察期間における上記複数の分析対象の生活事象の水使用パターン及び特定期間における上記複数の日常生活事象の水使用パターンを分析する。
【００１７】
一実施例において、分析装置１４は、上記複数の分析対象の生活事象の水使用パターン及び上記複数の日常生活事象の水使用パターンの時間を比較して、少なくとも一つのユーザが高齢者の身体障害又は認知障害の症状に当てはまるか否かを判断する。例えば、図２の入浴時の水使用パターンＩを一例として説明すると、ユーザ甲が日常状態で夜の時間に入浴する場合、これにより、その入浴時の水使用パターンＩは夜の時間に示されるべきである。分析装置１４は、分析対象の生活事象の水使用パターン（入浴時の水使用パターン）及び日常生活事象の水使用パターン（入浴時の水使用パターンＩ）の時間を比較して、当てはまらないか、又は異なる時間に示された場合、例えば、朝に入浴しており、かつ観察期間内にしばしば発生している場合は、ユーザ甲の日常生活行為の時間に乱れが生じており、高齢者の認知障害の症状が既に現れた可能性があることを示す。
【００１８】
一実施例において、分析装置１４は、上記複数の分析対象の生活事象の水使用パターン及び上記複数の日常生活事象の水使用パターンの回数を比較して、少なくとも一つのユーザが高齢者の身体障害又は認知障害の症状に当てはまるか否かを判断する。例えば、図４の歯磨き及び洗顔時の水使用パターンを一例として説明すると、ユーザ乙が日常状態で午前及び就寝前の時間のみに１回ずつ歯磨き及び洗顔している場合、これにより、その歯磨き及び洗顔時の水使用パターンは毎日二回のみ示されるべきである。分析装置１４は、分析対象の生活事象の水使用パターン（歯磨き及び洗顔時の水使用パターン）及び日常生活事象の水使用パターン（歯磨き及び洗顔時の水使用パターン）の回数を比較して、特別な状況を除き、ユーザ乙が一日に何回も歯磨き及び洗顔しているか又は時間が乱れ、かつ観察期間内にしばしば発生している場合は、ユーザ乙が同一の日常生活行為を繰り返しており、高齢者の認知障害の症状が既に現れた可能性があることを示す。
【００１９】
一実施例において、分析装置１４は、上記複数の分析対象の生活事象の水使用パターンの総量及び上記複数の日常生活事象の水使用パターンの総量を比較して、少なくとも一つのユーザが高齢者の身体障害又は認知障害の症状に当てはまるか否かを判断する。例えば、一日の水使用総量を一例として説明すると、ユーザ丙は独りで暮らしており、日常状態で毎日の水使用総量が約１００リットルである。分析装置１４は、分析対象の生活事象の水使用パターン（水使用総量パターン）を比較し、持続的に減少しているか又は使用量の変化が正常でない場合、例えば、洗顔の回数又は炊事の回数が減少し、かつ観察期間内にしばしば発生している場合は、ユーザ丙は活動の減少により生活機能が日ごとに退化している可能性があり、高齢者の身体障害の症状が既に現れた可能性があることを示す。
【００２０】
従って、本発明の高齢者症状分析システム１０は、ユーザの使用水量に基づき、高齢者に例えば認知障害又は身体障害等のような所定の高齢者症状があるか否かを分析して、既に高齢者症状があるか否かを有効に予め知って、高齢者の症状により他の深刻な状況が発生することを早期に防止することができる。又、ユーザの使用水量を用いて分析を行うので、高齢者が監視されているか又は病気になったように認定されたように感じないため、高齢者自身の健康向上意欲を高め、治療に対するストレスを低下させる。
【００２１】
本発明の高齢者症状分析システム１０は、少なくとも一つのユーザのリアルタイム使用水量データを受信し、少なくとも一つのユーザのリアルタイム使用水量データが少なくとも一つの救援使用水量に当てはまるか否かを判断し、かつ少なくとも一つの警告信号を発生するために用いられるローカルコントローラ１５を更に含む。一実施例において、ローカルコントローラ１５は、救援使用水量が発生しているか否かを随時判断できるようにユーザ端末に設けられる。一実施例において、ローカルコントローラ１５は、少なくとも一つのユーザのリアルタイム使用水量データが少なくとも一つの救援使用水量に当てはまるか否かを比較して、第一警告信号を発生するために用いられる第一比較モジュール１５１を含む。少なくとも一つの救援使用水量の関連データはローカルコントローラ１５内に記憶しておくことができ、例えば、図９の長時間の持続的な水使用の救援使用水量における関連データ等は、ローカルコントローラ１５内に予め記憶しておくことができる。
【００２２】
ユーザが緊急救援を要する場合、蛇口を開けて、水をずっと流して、図９の長時間の持続的な水使用における救援使用水量に当てはまるようにしさえすれば、リアルタイム水流量計１１でリアルタイムに検出できると共に、直ちにローカルコントローラ１５で受信及び判断を行って、ユーザが緊急救援を要していることを知って、第一警告信号を発生して、緊急救援の後続処理を行うことができる。
【００２３】
本発明の高齢者症状分析システム１０は、少なくとも一つの警告信号を受信すると共に、少なくとも一つの警報信号を出力するために用いられる出力モジュール１６を更に含む。出力モジュール１６は、警告音又はランプ信号を発生し、ユーザに緊急救援を要する状況が発生していることを近所の人に知らせて、必要な協力がなされるようにすることができ、かつ出力モジュール１６は、接点方式により警告出力を提供するか、あるいはネットワーク、電話回線、携帯電話（３Ｇ、４Ｇ、５Ｇ等を含む）又は他の通信方式で外部にユーザの救援信号を伝送することができる。
【００２４】
上述により、高齢者は生活リズムが相当に正常であり、かつ日常生活において相当量の水の使用が必ず必要であり、長時間水を使用していない状況を検出することにより、高齢者が家の他の場所で倒れたか又は病気で寝込んだ状況になった可能性があると判断することができる。
【００２５】
ローカルコントローラ１５は、少なくとも一つのユーザのリアルタイム使用水量データに基づき、少なくとも一つのユーザの算出期間（例えば、一日又は午前）内の累積使用水量を算出して、基本使用水量より少ないか否かを比較して、第二警告信号を発生するために用いられる第二比較モジュール１５２を更に含む。基本使用水量は、設定値又は長時間水を使用していないパターンであってもよく、ユーザのリアルタイム使用水量データにより調整して設定し、ローカルコントローラ１５内に記憶させることができる。
【００２６】
第二比較モジュール１５２がユーザの算出期間（例えば、一日又は午前）内の累積使用水量を比較して、基本使用水量より小さい場合、ユーザが長時間水を使用していないことを示し、高齢者が家の他の場所で倒れたか又は病気で寝込んだ状況になった可能性があると予備判断することができるため、第二警告信号を発生して出力モジュール１４に伝送する。出力モジュール１４は、異なる警告信号に基づいて異なる警報出力を行い、第一警告信号の緊急救援を要する上記の状況とは異なり、第二警告信号について、出力モジュール１４は、警告音を発生せずに、接点方式を用いて警告出力を提供するか、あるいはネットワーク、電話回線、携帯電話（３Ｇ、４Ｇ等を含む）又は他の通信方式のみでユーザに発生可能である状況を外部に伝送することができ、これにより、ユーザの外出による頻繁な警告音が他の近所の人を邪魔することを避ける。更に、異なるユーザの生活習慣に合わせてローカルコントローラ１５又は出力モジュール１４の関連設定を変更することができる。
【００２７】
従って、本発明の高齢者症状分析システム１０は、独り暮らしの高齢者の関連看護にも適用することができ、ユーザのリアルタイム使用水量の変化データを利用して、ユーザの様々な緊急処理状況や異常状況を知ることができ、異常な状況が現れたと判断されれば、状況の通報及び処理を最も迅速に行うことができる。
【００２８】
更に、社交活動が少ない高齢者は、一日中テレビを見るかベッドに横になって、食わず、飲まず、動かず、話さず等の状態になる可能性があり、かつ認知症の初期症状の一つが「うつ」である。研究により、台湾の高齢者のうつ病の有病割合のうち軽症が１５．５％、重症が６．２％を占めることを示しており、研究分析に提示された台湾の高齢者のうつ病への影響要素において、女性、低い教育水準、配偶者無し、困難な経済状況、無職、体調が悪いという自覚のある人のうつ指数が高く、家族や社会要素が台湾の高齢者のうつ病に影響する主要要素である。うつの問題による身体障害状況は、先進国の中で３位になり、更に開発途上国の中では１位であり、世界的な傾向から、虚血性心疾患による脅威に次ぐほどの影響を持つと思われる。うつ病の症状があるか否かを早期に発見できれば、認知障害の症状があるか否かも早期に発見できる。従って、病気で寝込んだ状況以外に、ユーザが一日にベッドに横になっており、つまり、ユーザが長時間水を使用していないか又はユーザの算出期間（例えば、一日又は午前）内の累積使用水量が基本使用水量より小さいことが示されれば、ユーザにうつ病の症状がある可能性があり、つまり、認知障害の症状がある可能性があると判断することができる。従って、本発明の高齢者症状分析システム１０を用いて、高齢者のうつ病の症状も早期に発見できる。
【００２９】
本発明の高齢者症状分析システム１０は、少なくとも一つのユーザのリアルタイム使用水量データをネットワークに伝送して、ネットワークを介して遠距離コントローラ２０に伝送するために用いられる伝送モジュール１７を更に含む。本発明の高齢者症状分析システム１０の記憶装置１２、使用水量パターン確立装置１３及び分析装置１４は遠距離コントローラ２０に設置することができる。
【００３０】
上記の実施例は、本発明を限定するためのものでなく、本発明の原理及びその効果を説明するためのものである。従って、当業者が上記の実施例を修正及び変更しても本発明の要旨を逸脱するものではない。本発明の権利範囲は後述する特許請求の範囲に示す通りとされるべきである。
【符号の説明】
【００３１】
１０  高齢者症状分析システム
１１  リアルタイム水流量計
１２  記憶装置
１３  使用水量パターン確立装置
１４  分析装置
１５  ローカルコントローラ
１６  出力モジュール
１７  伝送モジュール
２０  遠距離コントローラ
１５１  第一比較モジュール
１５２  第二比較モジュール
【図１】
2017224293.tif 000003
【図２】
2017224293.tif 000004
【図３】
2017224293.tif 000005
【図４】
2017224293.tif 000006
【図５】
2017224293.tif 000007
【図６】
2017224293.tif 000008
【図７】
2017224293.tif 000009
【図８】
2017224293.tif 000010
【図９】
2017224293.tif 000011
【図１０】
2017224293.tif 000012
【外国語明細書】
2017224293000001.pdf